(57)【特許請求の範囲】
【請求項１】
ネットワークを監視するネットワーク監視装置、自制御エリアに位置する移動機との間の通信をする複数の基地局及び前記複数の基地局を制御する基地局制御装置を有する基地局システムにおいて、
前記ネットワーク監視装置は、
前記基地局制御装置に対して特定の移動機に関する保守運用情報の収集開始の指示を行う第１情報収集開始指示手段と、
前記基地局制御装置より前記特定の移動機に関する保守運用情報を受信する第１受信手段とを具備し、
前記基地局制御装置は、
前記保守運用情報の収集開始の指示を受けると、前記複数の基地局に対して保守運用情報収集開始の指示をする第２情報収集開始指示手段と、
前記基地局より前記特定の移動機に関する保守運用情報を受信する第２受信手段と、
該保守運用情報を前記ネットワーク監視装置に送信する第１送信手段とを具備し、
前記基地局は、
前記基地局制御装置より保守運用情報収集開始指示を受けたとき、前記特定の移動機が自制御エリアに位置している場合、該移動機に関する保守運用情報の収集を開始し、該保守運用情報収集開始指示を既に受けており、前記特定の移動機が自制御エリアに位置した場合、該移動機に関する保守運用情報の収集を開始する情報収集開始手段と、
該保守運用情報を前記基地局制御装置に送信する第２送信手段とを具備したことを特徴とする基地局システム。
【請求項２】
前記第２情報収集開始指示手段は、前記保守運用情報の収集開始の指示を受けると、前記特定の移動機が位置登録されている基地局及びその隣接基地局に対して前記保守運用情報収集開始指示をし、前記保守運用情報の収集開始の指示を既に受けており、前記特定の移動機が位置登録されている基地局の隣接基地局の制御エリアに位置したとき、該基地局の隣接基地局に対して保守運用情報収集開始指示をすることを特徴とする請求項１記載の基地局システム。
【請求項３】
前記基地局制御装置は、前記特定の移動機が位置登録される基地局が変更になったとき、変更前の基地局に対して保守運用情報収集終了を指示する収集終了指示手段を更に具備し、前記基地局は、前記保守運用情報統計収集終了の指示を受けると、前記特定の移動機及び前記基地局制御装置との間で確保していた前記保守運用情報収集に関わるリソースを解放するリソース解放手段を更に具備したことを特徴とする請求項２記載の基地局システム。
【請求項４】
前記第２情報収集開始指示手段は、基地局が増設されたとき、前記保守運用情報収集の開始の指示がされていた場合、該基地局に対して保守運用情報収集開始指示をすることを特徴とする請求項１記載の基地局システム。
【請求項５】
前記基地局制御装置は、通話中の移動機が複数の基地局と通話可能なエリアに移動したときに、該複数の基地局が該移動機と通信可能となるよう該複数の基地局をハンドオフ制御するハンドオフ制御手段を更に具備し、前記保守運用情報は通話中の移動機に関する品質統計情報であるとき、前記情報収集開始手段は、ハンドオフ制御により通話中の移動機と通信可能となった場合、前記品質統計情報の収集を開始し、前記第１送信手段は、前記通話中の移動機が移動して複数の基地局より品質統計情報を前記第２受信手段が受信した場合、各品質統計情報を送信した基地局が該移動機を配下として位置登録されている通常呼及びハンドオフ制御中のハンドオフ呼のいずれであるかを示す情報を付加して、前記ネットワーク制御装置に送信することを特徴とする請求項１記載の基地局システム。
【発明の詳細な説明】
【０００１】
【発明の属する技術分野】
本発明は、ｃｄｍａＯｎｅ／ｃｄｍａ２００等の基地局システムに関し、特に、移動機（ＭＳ）の保守に関する。
【０００２】
【従来の技術】
近年、新たな無線伝送方式であるｃｄｍａＯｎｅ方式やｃｄｍａ２０００方式を採用した携帯電話システムが国内外で増加してきている。その携帯電話システムがその携帯電話システムの加入者の増加にあたりＭＳの保守運用が重要視され、ネットワークネットワーク管理者及びエンドユーザのために、ＭＳの保守運用機能の改善が必要になってきた。従来の保守機能では、ＣＤＭＡ方式の特徴である通話中のハンドオフ制御や非通話中の隣接基地局（ＢＴＳ）配下へのＭＳの移動に保守機能が適応していないため、ＭＳがＢＴＳ間を移動するハンドオフでは、保守メッセージの送受信が途中で途切れ保守機能が正常に終了しないケースが発生していた。
【０００３】
図２２は、従来の携帯電話システムの構成図である。ＮＭＣ２は携帯電話システムのネットワークを監視するためのものであり、例えば、ＭＳ１０の保守運用情報の収集及び更新を行う。保守運用情報とは、ＭＳ１０の通信品質に関する情報（統計情報等）やＭＳ１０の状態を監視または管理する情報、あるいは、ＭＳ１０の動作を制御するプログラム／パラメータ等、ＢＳＣ６−ＭＳ１０間の全ての保守運用に関する情報をいう。ＭＳの通信品質に関する情報（統計情報等）やＭＳ１０の状態を監視する情報として、発呼回数／着呼回数／着呼回数／位置登録回数／緊急呼回数／ハンドオフ回数／通話時間／フレームエラー回数／使用チャネル数／送信フレーム数／受信フレーム数等がある。ＭＳ１０の動作を制御するプログラム／パラメータとして、ＭＳ１０の通信を制御するプログラムやプロトコル上のメッセージ応答待ちタイマ値やメッセージ再送カウンタ等のパラメータ値がある。ＭＳ１０の状態を管理する情報としては、ＭＳ１０の動作状態を管理するＭＳ１０内の情報がある。ＭＳ１０の動作状態としては、無通話状態／接続処理中状態／通話中／切断処理中状態というプロトコル上の状態のほか、ＭＳ１０内の制御ソフトの情報も含む。
【０００４】
ＭＳＣ４は、ＰＳＴＮ／ＩＳＤＮ等の公衆網とＢＳＣ６との間の通信を行う。ＢＳＣ６は、ＢＴＳ８＃ｉ（ｉ＝１〜ｎ）及びＭＳＣ４との間の音声、データ通信を行うと共に、ＮＭＣ２の指示に従って、該当ＭＳ１０が位置するＢＴＳ８＃ｉにＭＳ１０の保守運用情報の収集及び更新を行う。ＢＴＳ８＃ｉ（ｉ＝１〜ｎ）は、ＢＳＣ４及びＭＳ１０との間で音声、データ通信を行うと共に、ＢＳＣ４の指示に従って、ＭＳ１０に関する保守運用情報の収集及びＭＳ１０へ保守運用情報の更新を行う。ＭＳ１０は、制御エリアに位置するＢＴＳ８＃ｉとの間で、音声及びデータ通信を行うと共に、ＭＳ情報の収集及び保守運用情報の更新を行う。
【０００５】
図２３は、品質統計情報収集のイメージを示す図である。図２４は、品質統計情報収集のシーケンスチャートである。ユーザからのクレーム等に基づいてＮＭＣ２に接続される図示しないコンソール等からネットワーク管理者は当該ユーザが所有するＭＳ１０の品質統計保守情報の収集を指示する。ＮＭＣ２は、ネットワーク管理者の指示を受けて、ＢＳＣ６に品質統計開始要求を行う。ＭＳ１０は通話中にＢＴＳ８＃１の制御エリアにいるものとする。ＢＳＣ６は、ＮＭＣ２からの品質統計開始要求を受けると、ＭＳ１０はＢＴＳ８＃１の制御エリアにあるので、ＢＴＳ８＃１に品質統計開始要求をする。ＢＴＳ８＃１は、ＢＳＣ６に品質統計開始応答を返す。
【０００６】
ＢＳＣ６は、ＢＴＳ８＃１より品質統計開始応答を受け取ると、ＮＭＣ２に品質統計開始応答を返す。ＢＴＳ８＃１は、ＭＳ１０の統計情報をカウントアップして、ＢＳＣ６に通知する。ＢＳＣ６は、ＢＴＳ８＃１より統計情報を受けとり、ネットワーク管理者の要求に従って又は定期的にＮＭＣ２に統計情報を渡す。ＮＭＣ２は、ＭＳ１０の統計情報をＢＳＣ６より受け取ると、図示しないコンソール等に統計情報を表示する。ＭＳ１０が通話中にＢＴＳ８＃２の制御エリアに移動したとする。ＢＴＳ８＃１→ＢＴＳ８＃２にハンドオフされると、ＢＴＳ８＃２はＢＳＣ６から品質統計開始情報を受信していないので、ＭＳ１０の品質統計の収集を行うことがなく、ＭＳ１０の品質統計がハンドオフにより途絶える。
【０００７】
図２５は、ＭＳ情報収集を示す図である。図２６は、ＭＳ情報収集のシーケンスチャートである。ＮＭＣ２は、ＭＳ情報収集の指示をＢＳＣ６に行う。ＢＳＣ６は、ＭＳ１０が位置する制御エリアのＢＴＳ８＃１にＭＳ情報収集の指示を行う。ＢＴＳ８＃１は、ページチャネルを用いて、ＭＳ１０に対してＭＳ情報収集要求を行う。ＭＳ１０は、ＭＳ情報収集要求を受け取ると、トラヒックチャネルを用いて、ＢＴＳ８＃１に情報収集応答を返す。ＢＴＳ８＃１は、情報収集応答をＭＳ１０より受け取ると、ＢＳＣ６に情報収集応答を返す。ＢＳＣ６は、情報収集応答をＢＴＳ８＃１より受け取ると、ＮＭＣ２に情報収集応答を返す。ＢＴＳ８＃１→ＢＴＳ８＃２に制御エリアが変更されると、ＢＴＳ８＃２はＢＳＣ６から情報収集要求がされていないので、情報収集が正常終了することなく、ＭＳ１０から情報収集が途中で途絶える。
【０００８】
図２７は、ダウンロードのイメージを示す図である。ＮＭＣ２は、ネットワーク管理者の指示を受けて、ダウンロード開始要求をＢＳＣ６に行う。ＢＳＣ６はＭ１０の制御エリアであるＢＴＳ８＃１にダウンロード開始要求を行う。ＢＴＳ８＃１は、ページングチャネルを用いて、ＭＳ１０に対してダウンロード開始要求を行う。ＭＳ１０は、ダウンロード開始要求を受け取ると、アクセスチャネルを用いて、ＢＴＳ８＃１にダウンロード開始応答を返す。ＢＴＳ８＃１は、ダウンロード開始応答をＭＳ１０より受け取ると、ＢＳＣ６にダウンロード開始応答を返す。
【０００９】
ＢＳＣ６は、ダウンロード開始応答をＢＴＳ８＃１より受け取ると、ＮＭＣ２にダウンロード開始応答を返す。ＮＭＣ２は、ＢＳＣ６にダウンロードデータ転送を通知する。ＢＳＣ６は、ＮＭＣ２よりダウンロードデータ転送の通知を受け取ると、ＢＴＳ８＃１にダウンロードデータ転送を通知する。ＢＴＳ８＃１は、ＢＳＣ６よりダウンロードデータ転送の通知を受け取ると、ＭＳ１０にページングチャネルを用いて、ダウンロードデータ転送の通知をする。ＭＳ１０は、ダウンロードデータ転送の通知を受け取ると、アクセスチャネルを用いて、ＢＴＳ８＃１にダウンロードデータ転送の応答を返す。
【００１０】
ＢＴＳ８＃１は、ダウンロードデータ転送の応答をＭＳ１０より受け取ると、ＢＳＣ６にダウンロードデータ転送の応答を返す。ＢＳＣ６は、ダウンロードデータ転送の応答をＢＴＳ８＃１より受け取ると、ＮＭＣ２にダウンロードデータ転送の応答を返す。ＢＴＳ８＃１→ＢＴＳ８＃２にＭＳ１０の制御エリアが変更されると、ＢＴＳ８＃２はＢＳＣ６からダウンロードデータ転送が通知されないので、データ転送が正常終了することなく、ＭＳ１０へのデータ転送が途中で途絶える。
【００１１】
【発明が解決しようとする課題】
しかしながら、従来は、ＭＳとの保守運用情報を制御する場合、特定のＢＴＳを使用して、保守運用情報の制御を行うというものであったが、ＭＳが隣接ＢＴＳへ順次移動した場合、保守運用作業が自動的に継続できないという問題点があった。ＭＳが隣接ＢＴＳへ移動した場合、保守運用作業を継続するには、再び保守運用情報の制御をネットワーク管理者が指示する必要があり、ネットワーク管理者の保守操作性が良くなかった。
【００１２】
（１）  エンドユーザのクレーム等に対して迅速な情報提供又はネットワーク管理者が保守運用情報を常時すぐ把握できない。具体的には、以下の問題点がある。
【００１３】
(i)発呼／着呼／緊急呼／位置登録の回数／通話時間が正確に収集できないため、エンドユーザの使用状況を正確に把握することができない。
【００１４】
(ii)送信／受信のフレーム数、フレームエラー発生回数が正確に収集できないため、ＭＳの通話品質が判断できない。
【００１５】
(iii)ハンドオフ回数が正確に収集できないため、ＭＳがよく利用するエリアの使用状況を把握することができない。
【００１６】
(iv)使用チャネル数が正確に収集できないため、通話チャネルの使用容量を把握することができない。
【００１７】
(v)ＭＳからのパラメータ等の情報収集が途中で中断される。
【００１８】
(vi)ＭＳへのプログラム等の転送が中断される。
【００１９】
以上のように、ＭＳが隣接ＢＴＳの制御エリアに移動し、保守運用情報の制御ができない場合、エンドユーザのサービス性やクレーム等に対して迅速な情報提供ができない。これは、ユーザへの顧客満足度の低下につながる。また、ネットワーク管理者が通常運用時に保守を行う場合、必要な情報が迅速に収集できない状態では、保守性が悪いといえる。
【００２０】
（２）  ネットワーク管理者にとって保守の操作性が良くない。
【００２１】
(i)ＭＳが隣接ＢＴＳの制御エリアに移動した場合、毎回保守運用情報の制御の開始／停止を指示しなければならないため、ネットワーク管理者は保守運用情報の制御を行うために常時操作を行う必要がある。
【００２２】
(ii)制御したいＭＳがどのＢＴＳ配下に位置するかを特定しないと保守運用情報の制御の開始／停止を指示できないため、ネットワーク管理者は該当ＭＳがどのＢＴＳ配下に位置するのかを監視又は確認する必要がある。
【００２３】
以上のように、ネットワーク管理者にとっては、保守の操作性が非常に悪く、作業の負担が大きい。
【００２４】
（３）  ネットワーク負荷が大きい。
【００２５】
毎回ＢＴＳに指示しているため、ＢＳＣが収容するＢＴＳが増えるとＢＳＣ−ＢＴＳ間のネットワーク負荷が増える。これにより、保守運用情報の制御をする事によりＢＴＳ−ＢＳＣ間の負荷が増加し、ユーザの発信／着信に影響を与えることになる。
【００２６】
（４）  ネットワークの拡張に対応できない。
【００２７】
運用中にＢＳＣに収容するＢＴＳが増設できるが、増設されたＢＴＳのエリアに該当ＭＳが移動すると制御が停止する。これにより、ネットワーク管理者はＭＳに関する保守運用情報の制御を行う場合には、ネットワークの拡張を意識した保守作業を行う必要があり、保守作業が面倒である。
【００２８】
（５）  ＢＴＳ−ＢＳＣ間のリンク切断（回線障害を含む）に対応できない。
【００２９】
ＢＴＳ−ＢＳＣ間のリンク切断時、保守運用情報の制御を停止するため、たとえその後、ＢＴＳ＝ＢＳＣ間のリンクが正常に回復したとしても連続して制御できない。これにより、ネットワーク管理者はＭＳに関する保守運用情報の制御を行う場合には、ＢＴＳ−ＢＳＣ間のリンク切断等の障害を意識した保守作業を行う必要があり、保守作業が面倒になる。
【００３０】
（６）  ハンドオフ中は通信パスが複数あるが、通信パス毎に運用情報の制御が対応できていない場合、正確なネットワークの通話状態を把握することができない。
【００３１】
ハンドオフ中は通話パスが複数あるため、保守運用の制御情報が複数のＢＴＳから通知されてＢＳＣがそれを選択せずにそれぞれ同一のＭＳの情報として認識して、誤動作してしまう。例えば、統計情報が全ＢＴＳからの情報を重複加算してしまう。これにより、ネットワーク管理者は、該当ＭＳの保守作業を正確に把握できないために、（１）でも示したエンドユーザに対するサービス性及びネットワーク管理者のメンテナンスに支障をきたしてしまう。
【００３２】
本発明は、上記を鑑みてなされたものであり、エンドユーザに対するサービス性及びネットワーク管理者のメンテナンス性の向上を図ることのできる携帯電話システムを提供することを目的とする。
【００３３】
【課題を解決するための手段】
図１は、本発明の原理図である。図１に示すように、基地局システムは、ＮＭＣ１２、ＢＳＣ１４、複数の基地局１６＃ｉ（ｉ＝１〜ｎ）から構成される。ＮＭＣ１２は、第１情報収集開始指示手段１８及び第１受信手段１９を有する。ＢＳＣ１４は、第２情報収集開始指示手段２０、第２受信手段２１及び第１送信手段２２を有する。ＢＴＳ１６＃ｉ（ｉ＝１〜ｎ）は、情報収集開始手段２３＃ｉ（ｉ＝１〜ｎ）及び第２送信手段２４＃ｉ（ｉ＝１〜ｎ）を有する。
【００３４】
第１情報収集開始指示手段１８は、ＢＳＣ１４に対して特定のＭＳ１１に関する保守運用情報の収集開始の指示を行う。ＢＳＣ１４中の第２情報収集開始手段２０は、保守運用情報の収集開始の指示を第１情報収集開始指示手段１８より受けると、複数のＢＴＳ１６＃ｉ（ｉ＝１〜ｎ）に対して保守運用情報収集開始の指示をする。ＢＴＳ１６＃ｉ（ｉ＝１〜ｎ）中の情報収集開始手段２３＃ｉ（ｉ＝１〜ｎ）は、ＢＳＣ１４より保守運用情報収集開始指示を受けたとき、ＭＳ１１が自制御エリアに位置しているか否かを判断する。自制御エリアに位置している場合、ＭＳ１１に関する保守運用情報の収集を開始する。例えば、ＭＳ１１が自制御エリアに位置しているとすると、第２送信手段２４＃１は、保守運用情報をＢＳＣ１４に送信する。第２受信手段２１は、ＢＴＳ１６＃１から送信された保守運用情報を受信する。第１送信手段２２は、ＮＭＣ１２に保守運用情報を送信する。第１受信手段１９は、ＢＳＣ１４より保守運用情報を受信する。
【００３５】
ＭＳ１１は、他の制御エリアのＢＴＳ、例えば、ＢＴＳ１６＃２と通信可能な場所に移動したとする。情報収集開始手段２３＃２は、ＭＳ１１が自制御エリアに位置したので、保守運用情報収集開始指示を既に受けているか否かを判断する。情報収集開始手段２３＃２は、ＭＳ１１が自制御エリアに位置した場合、ＭＳ１１に関する保守運用情報の収集を開始する。第２送信手段２４＃２は、保守運用情報をＢＳＣ１４に送信する。第２受信手段２１は、ＢＴＳ１６＃１から送信された保守運用情報を受信する。第１送信手段２２は、ＮＭＣ１２に保守運用情報を送信する。第１受信手段１９は、ＢＳＣ１４より保守運用情報を受信する。このように、情報収集開始手段２３＃ｉ（ｉ＝１〜ｎ）は、ＭＳ１１が他のＢＴＳの制御エリアに移動しても、保守運用情報収集開始指示を既に受けているので、継続して、保守運用情報を収集することができる。
【００３６】
【発明の実施の形態】
第１実施形態
図２は、本発明の第１実施形態による携帯電話システムの構成図であり、図２２中の構成要素と実質的に同一の構成要素には同一の符号を附している。ＢＳＣ３０は、保守運用情報制御に関わる以下の機能を有する。
【００３７】
（１）  通話中のＭＳ１０が移動することによりハンドオフしたとき、ＭＳの品質統計情報の収集が中断することなく、継続して収集するために、次の機能を有する。▲１▼ＮＭＣ２より特定のＭＳに関する品質統計開始要求の指示を受けると、ＮＭＣ２に品質統計開始応答すると共に収容する全ＢＴＳ３２＃ｉ（ｉ＝１〜ｎ）に対して、品質統計開始要求をする。▲２▼ＢＴＳ３２＃ｉより、品質統計情報を受信すると、ＮＭＣ２に品質統計情報を送信する。▲３▼品質統計情報収集をしている通話中のＭＳが移動することによりハンドオフすると、継続して通話可能なようにハンドオフ制御を行う。ハンドオフ制御が終了すると、移動先のＢＴＳより品質統計情報を受信する。
【００３８】
（２）  ＭＳ情報収集中のＭＳ１０が他の制御エリアのＢＴＳ配下に移動したとき、ＭＳ情報収集が中断することなく、継続して行うために、次の機能を有する。▲１▼ＮＭＣ２より特定のＭＳのＭＳ情報収集要求を受けると、収容する全てのＢＴＳ３２＃ｉ（ｉ＝１〜ｎ）に対してＭＳ情報収集要求を行う。▲２▼ＢＴＳ３２＃ｉよりＭＳ情報収集応答を受信すると、ＮＭＣ２に対してＭＳ情報収集応答を行う。▲３▼ＢＴＳ３２＃ｉよりＭＳ情報を受信すると、ＮＭＣ２にＭＳ情報の送信をする。▲４▼ＭＳ１０が他の制御エリアのＢＴＳ配下に移動したとき、移動先のＢＴＳよりＭＳ情報を受信する。
【００３９】
（３）  ダウンロード中のＭＳ１０が他の制御エリアのＢＴＳ配下に移動したとき、ＭＳへのダウンロードが中断することなく、継続して行うために、次の機能を有する。▲１▼ＮＭＣ２より特定のＭＳに対するダウンロード開始要求を受けると、収容する全てのＢＴＳ３２＃ｉ（ｉ＝１〜ｎ）に対してダウンロード開始要を行う。▲２▼ＢＴＳ３２＃ｉよりダウンロード開始応答を受信すると、ＮＭＣ２にダウンロード開始応答を行う。▲３▼ＮＭＣ２よりデータ転送通知を受信すると、ＭＳ１０が位置しているＢＴＳ３２＃ｉに対してデータ転送通知を行う。▲４▼ＢＴＳ３２＃ｉよりデータ転送応答を受信すると、ＮＭＣ２にデータ転送応答をする。▲５▼ＭＳ１０が他の制御エリアのＢＴＳ配下に移動したとき、ＮＭＣ２よりデータ転送通知を受信すると、移動先のＢＴＳに対して、データ転送通知をする。尚、保守運用情報の収集、更新のために、ＢＴＳ３２＃ｉ（ｉ＝１〜ｎ）との間で通信を行うときは、所定のプロトコルに従って、リソースを確保して、通信リンクを確立する。
【００４０】
ＢＴＳ３２＃ｉは、保守運用情報制御に関わる以下の機能を有する。
【００４１】
（１）  ＭＳの品質統計情報の収集に関して、次の機能を有する。▲１▼ＢＳＣ３０より特定のＭＳに関する品質統計開始要求の指示を受けると、ＢＳＣ３０に対して品質統計開始応答をする。▲２▼品質統計開始要求を受信したとき、収集を指示されたＭＳ１０が自制御エリアに位置し且つ通話中であるかを判断する。そうであるとき、当該ＭＳ１０に関する品質統計情報の収集を開始する。▲３▼ＢＳＣ３０のハンドオフ制御に従ってＭＳと通信を開始したとき、既に、当該ＭＳに関する品質統計開始要求を受けているとき、当該ＭＳ１０に関する品質統計情報の収集を開始する。尚、品質統計収集開始は、ＭＳが自ＢＴＳ配下として位置登録されたときでもよい。▲４▼収集した品質統計情報の収集をＢＳＣ３０に送信する。
【００４２】
（２）  ＭＳ情報の収集を行うために、次の機能を有する。▲１▼ＢＳＣ３０よりＭＳ情報収集開始要求を受けると、ＭＳ１０に対して、ＭＳ情報収集開始要求を行う。▲２▼ＭＳ１０よりＭＳ情報収集開始応答を受けると、ＢＳＣ３０にＭＳ情報収集開始応答を行う。▲３▼ＭＳ１０が自制御エリアのＢＴＳ配下に移動し、当該ＭＳ１０に関するＭＳ情報収集開始要求を受けているとき、ＭＳ情報収集開始要求を行う。▲４▼ＭＳ１０よりＭＳ情報収集通知を受けると、ＢＳＣ３０に対して、ＭＳ情報収集通知をする。▲５▼ＢＳＣ３０よりＭＳ情報収集応答を受信すると、ＭＳ１０にＭＳ情報収集応答を行う。
【００４３】
（３）  ＭＳへのダウンロードに関して、次の機能を有する。▲１▼ＢＳＣ３０よりダウンロード開始要求を受けると、ＭＳ１０が自制御エリアに位置しているとき、ＭＳ１０にダウンロード開始要求をする。▲２▼ＭＳ１０よりダウンロード開始応答を受信すると、ＢＳＣ３０にダウンロード開始応答を送信する。▲３▼ＭＳ１０が自制御エリアのＢＴＳ配下に移動し、当該ＭＳ１０に関するダウンロード開始要求を受けているとき、例えば、ページチャネルを用いて、ダウンロード開始要求を行う。▲４▼ＢＳＣ３０よりデータ転送通知を受信すると、ＭＳ１０にデータ転送通知を行う。
【００４４】
ＭＳ１０は、保守運用情報に関する以下の機能を有する。▲１▼ＭＳ情報収集開始要求を受けると、ＭＳ情報収集開始応答をする。▲２▼ＭＳ情報開始収集応答をすると、ＭＳ情報収集通知を行う。▲３▼ＭＳ情報収集応答を受ける、次のＭＳ情報収集通知を行う。▲４▼ＭＳ情報収集中に制御エリアが変更になって、ＭＳ情報収集開始要求を受けると、次のＭＳ情報収集通知を行う。▲５▼ＭＳ情報収集開始要求を受けると、ＭＳ情報収集開始応答をする。▲６▼ダウンロード開始要求を受けると、ダウンロード開始応答をする。▲７▼データ転送通知を受けると、データを記憶すると共にデータ転送応答をする。▲８▼ダウンロード中に制御エリアが変更になって、ダウンロード開始始要求を受けると、ダウンロード開始応答をする。データ転送通知を受けると、直前にデータ転送応答をしたデータ転送通知に後続する位置にデータを記憶すると共にデータ転送応答する。尚、ＭＳ情報収集やダウンロードにおいて、ＢＴＳ３２＃ｉからＭＳ１０へのＭＳ情報開始通知などのメッセージの送信は、ｃｄｍａＯｎｅ／ｃｄｍａ２００システムでは、ページングチャネルを使用して行い、ＭＳ１０からＢＴＳ３２＃ｉへのＭＳ情報通知などのメッセージの送信は、アクセスチャネルを使用して行う。
【００４５】
図３は、図２中のＢＳＣ３０及びＢＴＳ３２＃ｉの構成図である。図３に示すように、ＢＳＣ３０は、ＮＭＣ制御部４０、保守運用情報制御部４２、ＢＴＳ制御部４４、呼制御部４６、経路情報データベース４７、ハンドオフ制御部４８、制御局情報データベース４９及び保守運用情報収集部５０を有する。ＮＭＣ制御部４０は、次の機能を有する。ＮＭＣ２から送信された品質統計開始要求等のメッセージを受信すると、保守運用情報制御部４２に出力する。▲２▼保守運用情報制御部４２より品質統計開始応答等のメッセージ受信すると、ＮＭＣ２に通知する。
【００４６】
保守運用情報制御部４２は、保守運用情報に関わる制御を行うものであり、次の機能を有する。▲１▼ＮＭＣ制御部４０より受信した品質統計開始要求、ＭＳ情報収集開始要求、ダウンロード開始要求をＢＴＳ制御部４４に全ＢＴＳ３２＃ｉ（ｉ＝１〜ｎ）するよう指示する。▲２▼ＢＴＳ制御部４４より受信した品質統計情報を保守運用情報収集部５０に出力する。▲３▼ＢＴＳ制御部４４より受信したＭＳ情報収集応答、ＭＳ情報収集通知、ダウンロード開始応答及びデータ転送応答をＮＭＣ制御部４０に出力する。▲４▼ＮＭＣ制御部４０よりＭＳ情報収集応答及びデータ転送通知を受けると、ＭＳ１０が位置登録されているＢＴＳに送信するようにＢＴＳ制御部４４に指示する。▲５▼ＭＳ１０からＭＳ情報収集中に位置登録が変更されたことを呼制御部４６より通知されると、変更先のＢＴＳよりＭＳ情報を受信するようＢＴＳ制御部４４に指示する。ＭＳ情報収集中にＭＳ１０の制御エリアが変更になったときにも、ＭＳ情報収集を継続して行うためである。▲６▼ＭＳ１０へのダウンロード中に位置登録が変更されたことを呼制御部４６より通知されると、変更先のＢＴＳへデータ転送通知をする。ダウンロード中にＭＳ１０の制御エリアが変更になったときにも、ダウンロードを継続して行うためである。▲７▼呼制御部４６の通知に従って、制御局データベース４９を更新する。
【００４７】
ＢＴＳ制御部４４は、次の機能を有する。▲１▼保守運用情報制御部４２の指示に従って、全ＢＴＳ３２＃ｉ（ｉ＝１〜ｎ）又は特定のＢＴＳ３２＃ｉにメッセージを送信する。▲２▼ＢＴＳ３２＃ｉ（ｉ＝１〜ｎ）より受信したメッセージを保守運用情報制御部４２に出力する。呼制御部４６は、ＭＳ１０とＭＳＣ４との間の呼制御を行うものであり、次の機能を有する。▲１▼ＭＳＣ４からＭＳ１０へ着信があると、ＭＳ１０が位置登録されているＢＴＳ３２＃ｉに着信要求を行う。▲２▼通話中のＭＳ１０に対して、ＢＴＳ３２＃ｉを音声データ、データ等をＭＳ１０が位置登録されているＢＴＳ３２＃ｉに送信する。▲３▼ＢＴＳ３２＃ｉよりＭＳ１０からの着信があると、ＭＳＣ４に対して着信要求をする。▲４▼ＢＴＳ３２＃ｉよりＭＳ１０からの音声データ、データ等をＭＳＣ４に送信する。▲５▼経路情報データベース４７にＭＳ１０の位置登録をする。▲６▼ＭＳ１０からの発呼時及びＭＳ１０への着信時に経路情報データベース４７にＭＳ１０を登録する。▲７▼ハンドオフ制御部４８の指示に従って、ハンドオフの制御を行う。▲８▼ハンドオフ完了を保守運用情報制御部４２に通知する。
【００４８】
ハンドオフ制御部４８は、ハンドオフ次の機能を有する。▲１▼ＭＳ１０の通話中にハンドオフが発生したか否かを監視する。▲２▼ハンドオフが発生したとき、呼制御部４６を通して、所定のシーケンスに従ってハンドオフ制御をすると共に経路情報データベース４７にハンドオフ呼を登録する。▲３▼ハンドオフが完了したとき、経路情報データベース４７にハンドオフ呼の削除及び通常呼の登録をする。▲４▼上記▲１▼〜▲３▼のハンドオフ制御は、ＭＳ１０が通話中に移動により制御エリアが変わっても、中断することなく通話を行うための制御であるが、この制御と同様の制御をＭＳ情報収集、ダウンロードの場合に適用可能である。前者の場合に適用したときは、ＭＳ１０がＭＳ情報を再送する必要がなくなること、後者の場合に適用したときは、ＮＭＣ２がダウンロードデータを再送する必要がなくなる。
【００４９】
図４は、図３中の経路情報データベース４７の構成図である。経路情報データベース４７が呼制御部４６及びハンドオフ制御部４８により経路情報が登録されるデータベースである。経路情報とは、ＢＳＣ３０−ＭＳ１０間の通話経路を管理する情報であり、通常呼とハンドオフ呼を制御しているＢＴＳを認識するための情報である。通常呼とは、ＢＳＣ３０−ＭＳ１０間の位置登録時に制御局となったＢＴＳをいう。ハンドオフ呼とは、通話中にハンドオフを制御しているＢＴＳをいう。図４に示すように、経路情報データベース４７は、各通話中のＭＳについて、そのＭＳ番号、通常呼となるＢＴＳの局番、ハンドオフ呼となるＢＴＳの局番が格納される。経路情報データベース４７は、上述したように、呼制御部４６及びハンドオフ制御部４８により、ＢＳＣ３０−ＭＳ１０間で位置登録を実施した時、ＭＳ１０からの発呼時及び着呼時、通話中にハンドオフが発生した時に、更新される。
【００５０】
図５は、図３中の制御局情報データベース４９の構成図である。制御局情報データベース４９は、ＭＳ１０の制御エリアが変更になっても、保守運用情報制御を継続して行うための制御局情報を記憶するデータベースであり、制御局及びその隣接局が記録される。制御局とは、ＢＳＣ−ＢＴＳ間の位置登録時にＭＳ１０の保守運用情報の制御を行う制御局となったＢＴＳ、又は、通話中に通常呼を制御しているＢＴＳをいう。隣接局とは、ＢＳＣ−ＢＴＳ間の位置登録時に制御局となったＢＴＳに隣接するＢＴＳ、又は通話中のハンドオフ制御をしているＢＴＳをいう。制御局情報データベース４９は、ＢＳＣ３０−ＭＳ１０間で位置登録を実施した時、ＭＳ１０からの発呼時及び着呼時、通話中にハンドオフが発生した時に、保守運用情報制御部４２により、更新される。保守運用情報収集部５０は、呼制御部４６から出力される保守運用情報を蓄積して、一定の周期で、保守運用情報制御部４２に出力する。
【００５１】
ＢＴＳ３２＃ｉは、ＢＳＣ制御部６０＃ｉ、保守運用情報制御部６２＃ｉ、呼制御部６４＃ｉ、保守運用情報収集部６６＃ｉ及び無線制御部６８＃ｉを有する。ＢＳＣ制御部６０＃ｉは、次の機能を有する。▲１▼保守運用情報制御部６２＃ｉからメッセージを受け取ると、ＢＳＣ３０に送信する。▲２▼ＢＴＳ制御部４４からメッセージを受信すると、保守運用情報制御部６２＃ｉに出力する。
【００５２】
保守運用情報制御部６２＃ｉは、次の機能を有する。▲１▼ＢＳＣ制御部６０＃ｉよりメッセージを受け取ると、メッセージを解析する。(i)品質統計開始要求であるとき、ＭＳ１０が通話中であり、且つ自制御エリアとしてＢＳＣ３０に位置登録（以下、単に位置登録）されている場合、保守運用情報収集部６６＃ｉに品質統計情報の収集を指示する。(ii)ＭＳ情報収集開始要求であるとき、ＭＳ１０が位置登録されている場合、保守運用情報収集部６６＃ｉにＭＳ情報収集を指示する。(iii)ダウンロード開始要求であるとき、ＭＳ１０が位置登録されている場合、ダウンロード開始を指示する。(iv)ＭＳ情報収集応答、データ転送通知であるとき、保守運用情報収集部６６＃ｉに出力する。▲２▼保守運用情報収集部６６＃ｉよりメッセージ（品質統計情報、ＭＳ情報収集通知、データ転送通知）を受け取ると、ＢＳＣ制御部６０＃ｉに出力する。▲３▼通話中のＭＳ１０が自制御エリア内に移動して、呼制御部６４＃ｉよりハンドオフ制御が通知されたとき、品質統計開始要求を受けている場合と、保守運用情報収集部６６＃ｉに品質統計開始指示をする。通話中のＭＳ１０の位置登録変更後も、継続して、品質統計収集を行うためである。▲４▼ＭＳ１０が自制御エリア内に移動して、呼制御部６４＃ｉより位置登録されたことが通知されると、ＭＳ情報収集開始要求／ダウンロード開始要求を受けていると、保守運用情報収集部６６＃ｉに品質統計開始／ＭＳ情報収集開始／ダウンロード開始指示をする。ＭＳ１０の位置登録が変更されたときにも、継続して、ＭＳ情報収集、ダウンロードを行うためである。
【００５３】
呼制御部６４＃ｉは、次の機能を有する。▲１▼ＭＳ１０及びＢＳＣ３０との間で呼制御及びハンドオフ制御をする。▲２▼品質統計情報に関わる情報を保守運用情報収集部６６＃ｉに出力する。▲３▼ハンドオフが開始されると、保守運用情報制御部６２＃ｉに通知する。▲４▼位置登録されると、保守運用情報制御部６２＃ｉに通知する。保守運用情報収集部６６＃ｉは、次の機能を有する。▲１▼保守運用情報制御部６２＃ｉからの品質統計情報開始指示に従って、呼制御部６４＃ｉを通して品質統計情報を収集する。▲２▼品質統計情報を保守運用情報制御部６２＃ｉに出力する。▲３▼保守運用情報制御部６２＃ｉからのＭＳ情報収集開始要求／ダウンロード開始要求に従って、無線制御部６８＃ｉを通してＭＳ１０にＭＳ情報収集開始要求／ダウンロード開始要求をする。▲４▼無線制御部６８＃ｉからのメッセージ（ＭＳ情報収集開始応答、データ転送応答）を受け取ると、保守運用情報制御部６２＃ｉに出力する。無線制御部６８＃ｉは、呼制御部６４＃ｉ及び保守運用情報収集部６６＃ｉの指示に従って、ＭＳ１０との間で通信をする。以下、図２の携帯電話システムの保守運用情報制御に関わる動作説明をする。
【００５４】
（１）  品質統計情報の収集
図６は、品質統計情報の収集のシーケンスチャートである。ネットワーク管理者は、ユーザのクレーム等に基づきユーザが所有するＭＳ１０の品質統計情報の収集を指示する。ＮＭＣ２は、ネットワーク管理者の指示に従ってＢＳＣ３０に品質統計開始要求をする。ＢＳＣ３０は、ＮＭＣ２より品質統計開始要求を受信すると、品質統計開始応答をＮＭＣ２に返す。ＢＳＣ３０は、収容する全ＢＴＳ３２＃ｉ（ｉ＝１〜ｎ）に対して、品質統計開始要求をする。
【００５５】
ＢＴＳ３２＃ｉ（ｉ＝１〜ｎ）は、ＢＳＣ３０より品質統計開始要求を受信すると、ＢＳＣ３０に対して、品質統計開始応答をする。ここで、ＭＳ１０がＢＴＳ３２＃１の制御エリア内に位置しており、ＭＳ等と通話中であったとする。ＢＴＳ３０は、制御局をＢＴＳ３２＃１、隣接局をＢＴＳ３２＃２として、制御局情報データベース４９に登録する。ＢＴＳ３２＃ｉ（ｉ＝１〜ｎ）は、品質統計開始要求より指示されたＭＳ１０が自制御エリアに位置するか否かを判断する。ＢＴＳ３２＃ｉは、通話中のＭＳ１０が自制御エリアにいるとき、品質統計情報を収集する。一方、ＭＳ１０が通話中でないとき又は自制御エリアにいないとき、ＢＴＳ品質統計情報を収集しない。
【００５６】
ここでは、通話中のＭＳ１０がＢＴＳ３２＃１の制御エリアにいるので、ＭＳ１０の品質統計情報を収集する。一方、ＭＳ１０が自制御エリアに位置しないＢＴＳ３２＃ｉ（ｉ＝２〜ｎ）は、ＭＳ１０の品質統計情報の収集を行わない。ＢＳＣ３０は、ＢＴＳ３２＃１から品質統計情報を受信して、蓄積する。そして、蓄積した品質統計情報を一定間隔でＮＭＣ２に送信する。このようにして、ＢＴＳ３２＃１は、通話中のＭＳ１０が自制御エリアに位置している間は、品質統計情報を収集して、ＢＳＣ３０に送信する。ＢＳＣ３０は、ＢＴＳ３２＃１より受信した品質統計情報をＮＭＣ２に間隔で送信する。
【００５７】
図７は、ハンドオフの一例を示す図である。図８は、ハンドオフの一例を示す、ＣＤＭＡシステムで実現されているハンドオフ制御シーケンスチャートである。図９は、ハンドオフ時の保守制御局情報の更新を示す図である。図７に示すように、ＭＳ１０が自動車携帯電話である時、車の移動により通話中にＢＴＳ３２＃２の制御エリアに移動したものとする。ＢＴＳ３２＃１は、ＭＳ１０から送信された電波の電界強度を測定し(Pilot Strength Measurement)、ＢＳＣ３０に通知している。ＭＳ１０が移動して、ＭＳ１０からの電波が弱くなって電界強度が一定以下となると、ＢＳＣ３０は、ＢＴＳ３２＃１からハンドオフ制御のためのアクセスパラメータ読出要求を行う。ＢＴＳ３２＃１は、ＢＳＣ３０からアクセスパラメータ読出要求を受けて、ＢＳＣ３０にアクセスパラメータ読出応答をする。ＢＴＳ３２＃２は、所定シーケンスに従って、リソースを獲得（ハンドオフリソース獲得要求(Handoff Resource Request)，ハンドオフリソース獲得応答(Handoff Resource Response)，トラヒックの捕捉開始(Begin Forward Traffic Cmd))を指示する。ＢＴＳ３２＃１，３２＃２は、所定シーケンスに従って、ハンドオフを実行（ハンドオフ実行指示，ハンドオフ完了通知(Handoff Performed))する。ＢＳＣ３０は、ＢＴＳ３２＃１，３２＃２よりハンドオフ完了通知を受けると、図９に示すように、ＢＴＳ３２＃１を通常呼、ＢＴＳ３２＃２をハンドオフ呼として、経路情報データベース４７を更新する。制御局情報データベース４９は、制御局がＢＴＳ３２＃１、隣接局がＢＴＳ３２＃２のままである。そして、ＭＳ１０は、ＢＴＳ３２＃１，３２＃２の両方を使った通話を行う（２ＷＡＹ）。
【００５８】
ＭＳ１０が更に移動して、ＢＴＳ３２＃１の制御エリア外に移動し、ＢＴＳ３２＃２の制御エリア内に完全に移動したものとすると、所定シーケンスに従って、ハンドオフを実行（電波の電界強度測定し(Pilot Strength Measurement)，ＢＴＳ３２＃１のハンドオフドロップ認識，ハンドオフ実行指示，ハンドオフ完了通知，Handoff Performed)する。ＢＴＳ３２＃１のリソースを解放(Release Order Request, Release Order Response, Release Resource response)する。ハンドオフが完了すると、図９に示すように、ＢＳＣ３０は、ＢＴＳ３２＃２を通常呼として、経路情報データベース４７を更新し、制御局をＢＴＳ３２＃２、隣接局をＢＴＳ３２＃１，３２＃３として、制御局情報データベース４９を更新する。
【００５９】
ＢＴＳ３２＃２は、通話中のＭＳ１０が自制御エリアに移動すると、ＭＳ１０に対して品質統計開始要求が指示されているかを判断する。品質統計情報の収集が指示されているとき、ＭＳ１０の品質統計情報を収集する。ここでは、ＢＴＳ３２＃２にＢＳＣ３０よりＭＳ１０に対する品質統計要求が指示されているので、ＢＴＳ３２＃２は、ＭＳ１０についての品質統計情報の収集を行う。ＢＳＣ３０は、制御局がＢＴＳ３２＃２に変更されたので、ＢＴＳ３２＃２から品質統計情報を受信して、蓄積する。そして、蓄積した品質統計情報を一定間隔でＮＭＣ２に送信する。ＢＴＳ３２＃２は、ＭＳ１０が自制御エリアに位置している間は、品質統計情報を収集して、ＢＳＣ３０に送信する。ＢＳＣ３０は、ＢＴＳ３２＃２より受信した品質統計情報をＮＭＣ２に一定間隔で送信する。更に、ＭＳ１０の制御エリアがＢＴＳ３２＃３に変更されたときでも、上述したと同様にして、ＢＴＳ３２＃３よりＭＳ１０の品質統計情報が収集される。このように、ハンドオフによりＭＳ１０の制御エリアが変更になったときでも、ＭＳ１０の品質統計情報の収集を継続して行うことができる。
【００６０】
ＮＭＣ２は、品質統計情報の収集を終了させる場合、品質統計終了要求をＢＳＣ３０に対して行う。ＢＳＣ３０は、品質統計終了要求を受けると、全ＢＴＳ３２＃ｉ（ｉ＝１〜ｎ）に対して、品質統計終了要求を行う。ＢＴＳ３０−ＢＴＳ３２＃ｉ（ｉ＝１〜ｎ）間で品質統計情報収集に関するリソースを解放して、ＢＴＳ３２＃ｉ（ｉ＝１〜ｎ）は、品質統計収集を終了する。
【００６１】
（２）  ＭＳ情報収集
図１０は、ＭＳ情報収集のシーケンスチャートである。ネットワーク管理者は、ＭＳ１０のＭＳ情報の収集を指示する。ＮＭＣ２は、ネットワーク管理者の指示に従って、ＢＳＣ３０にＭＳ情報収集開始要求をする。ＢＳＣ３０は、収容する全ＢＴＳ３２＃ｉ（ｉ＝１〜ｎ）に対して、ＭＳ１０のＭＳ情報収集開始要求をする。ＭＳ１０がＢＴＳ３２＃１の制御エリア内に位置しているとする。ＢＴＳ３２＃ｉ（ｉ＝１〜ｎ）は、ＭＳ情報収集開始要求より指示されたＭＳ１０が自制御エリアに位置するか否かを判断する。ＢＴＳ３２＃ｉは、ＭＳ１０が自制御エリアにいるとき、ページングチャネルを用いて、ＭＳ１０に対してＭＳ情報収集開始要求をする。一方、ＭＳ１０が自制御エリアにいないとき、ＭＳ情報収集開始要求をしない。
【００６２】
ここでは、ＭＳ１０がＢＴＳ３２＃１の制御エリアにいるので、ＢＴＳ３２＃１は、ＭＳ１０にＭＳ情報開始要求をする。一方、ＭＳ１０が自制御エリアに位置しないＢＴＳ３２＃ｉ（ｉ＝２〜ｎ）は、ＭＳ１０にＭＳ情報収集開始要求を行わない。ＭＳ１０は、ＭＳ情報開始要求を受信すると、アクセスチャネルを使用して、ＢＴＳ３２＃１にＭＳ情報収集開始応答をする。ＢＴＳ３２＃１は、ＭＳ１０よりＭＳ情報収集開始応答を受信すると、ＢＳＣ３０にＭＳ情報開始応答をする。ＢＳＣ３０は、ＭＳ情報収集開始応答を受信すると、ＮＭＣ２にＭＳ情報収集開始応答をする。ＭＳ１０は、アクセスチャネルを使用して、ＢＴＳ３２＃１にＭＳ情報収集通知をする。ＢＴＳ３２＃１は、ＭＳ１０よりＭＳ情報収集通知を受けると、ＢＳＣ３０にＭＳ情報収集通知する。ＢＳＣ３０は、ＭＳ情報収集通知を受けると、ＮＭＣ２にＭＳ情報収集通知する。ＮＭＣ２は、ＭＳ情報収集通知を受けると、ＢＳＣ３０にＭＳ情報収集応答をする。ＢＳＣ３０は、ＮＭＣ２からＭＳ情報収集応答を受けると、ＢＴＳ３２＃１にＭＳ情報収集応答をする。ＢＴＳ３２＃１は、ＢＳＣ３０からＭＳ情報収集応答を受けると、ページングチャネルを使用して、ＭＳ１０にＭＳ情報収集応答をする。
【００６３】
ＭＳ１０は、ＭＳ情報収集応答を受け取ると、アクセスチャネルを使用して、次のＭＳ情報収集通知をＢＴＳ３２＃１にする。上述したと同様にして、ＭＳ情報収集通知がＢＳＣＣ３０を通して、ＮＭＣ２に通知される。ＮＭＣ２は、ＭＳ情報収集応答を、ＢＳＣ３０→ＢＴＳ３２＃１を通して、ＭＳ１０にする。このようにして、ＢＴＳ３２＃１は、ＭＳ１０が自制御エリアに位置している間、ＭＳ１０のＭＳ情報収集をして、ＢＳＣ３０を通して、ＮＭＣ２に通知する。ＭＳ１０は、ＭＳ情報転送中にＢＴＳ３２＃２の制御エリアへ移動したものとする。ＢＳＣ３０は、ＭＳ１０がＢＴＳ３２＃２の配下として位置登録されるまでは、ＢＴＳ３２＃１を制御局として、ＢＴＳ３２＃１からＭＳ情報を受信する。ＭＳ１０が、ＢＴＳ３２＃１の制御エリア外に移動し、ＢＴＳ３２＃２の制御エリア内に完全に移動したものとする。ＢＴＳ３２＃２は、ＢＳＣ３０よりＭＳ情報開始要求を受けているので、ＭＳ１０との間でＭＳ情報の通信を行うためのリソースを獲得して、ＭＳ１０に対してＭＳ情報収集開始要求をする。ＭＳ１０は、アクセスチャネルを使用して、ＢＴＳ３２＃２にＭＳ情報収集応答を受けた次のＭＳ情報収集通知を行う。ＢＴＳ３２＃２は、ＢＳＣ３０を通して、ＮＭＣ２にＭＳ情報収集通知をする。ＢＳＣ３０は、ＢＴＳ３２＃２を制御局として、ＢＴＳ３２＃２からＭＳ情報を収集する。このようにして、ＭＳ情報収集中に制御エリアを移動しても、継続して、ＭＳ情報を収集することができる。
【００６４】
（３）  ダウンロード
図１１は、ダウンロードのシーケンスチャートである。ネットワーク管理者は、ＭＳ１０へのダウンロードを指示する。ＮＭＣ２は、ネットワーク管理者の指示に従って、ＢＳＣ３０にダウンロード開始要求をする。ＢＳＣ３０は、収容する全ＢＴＳ３２＃ｉ（ｉ＝１〜ｎ）に対して、ＭＳ１０ヘのダウンロード開始要求をする。ＭＳ１０がＢＴＳ３２＃１の配下として位置登録されているとする。ＢＴＳ３２＃ｉ（ｉ＝１〜ｎ）は、ダウンロード収集開始要求より指示されたＭＳ１０が自制御エリアに位置するか否かを判断する。ＢＴＳ３２＃ｉは、ＭＳ１０が自制御エリアにいるとき、ページングチャネルを使用して、ＭＳ１０に対してダウンロード開始要求をする。一方、ＭＳ１０が自制御エリアにいないとき、ダウンロード開始要求をしない。
【００６５】
ここでは、ＭＳ１０がＢＴＳ３２＃１の配下して位置登録されているので、ＢＴＳ３２＃１は、ページングチャネルを使用して、ＭＳ１０にダウンロード開始要求をする。一方、ＭＳ１０が自制御エリアに位置しないＢＴＳ３２＃ｉ（ｉ＝２〜ｎ）は、ＭＳ１０にダウンロード開始要求を行わない。ＭＳ１０は、ダウンロード開始要求を受信すると、アクセスチャネルを使用して、ＢＴＳ３２＃１を通して、ＢＳＣ３０にダウンロード開始応答をする。ＢＳＣ３０は、ダウンロード開始応答を受信すると、ＮＭＣ２にダウンロード開始応答をする。
【００６６】
ＮＭＣ２は、ダウンロードの対象となるデータを複数に分割して、分割したデータをＢＳＣ３０に転送（データ転送通知）をする。ＢＳＣ３０は、データ転送通知を受けると、ＭＳ１０が位置登録されているＢＴＳ３２＃１を制御局とし、ＢＴＳ３２＃１にデータ転送通知をする。ＢＴＳ３２＃１は、データ転送通知を受けると、ＭＳ１０にページングチャネルを使用して、データ転送通知をする。ＭＳ１０は、ＢＳＣ３２＃１よりデータ転送通知を受信すると、アクセスチャネルを使用して、ＢＴＳ３２＃１にデータ転送応答をする。ＢＴＳ３２＃１は、データ転送応答を受信すると、ＢＳＣ３０を通して、ＮＭＣ２にデータ転送応答を通知する。ＮＭＣ２は、データ転送応答の受信を確認すると、ＢＳＣ３０→ＢＴＳ３２＃１を通して、次のデータ転送通知をＭＳ１０にする。このようにして、ＮＭＣ２とＭＳ１０との間で、ＢＳＣ３０、ＢＴＳ３２＃１を通して、データ転送通知、データ転送応答が行われる。ＭＳ１０は、ダウンロード中にＢＴＳ３２＃２の制御エリアへ移動したものとする。ＢＳＣ３０は、ＭＳ１０が位置登録されるまでは、ＢＴＳ３２＃１に対してデータ転送通知をする。
【００６７】
ＭＳ１０が、ＢＴＳ３２＃１の制御エリア外に移動し、ＢＴＳ３２＃２の制御エリア内に完全に移動したものとする。ＢＣＳ３０は、ＭＳ１０がＢＴＳ３２＃２配下として位置登録すると、ＢＴＳ３２＃２を制御局とし、ＢＴＳ３２＃２に対してデータ転送通知をする。ＢＴＳ３２＃２は、ＢＳＣ３０よりダウンロード開始要求を受けているので、ＭＳ１０との間でＭＳ情報の通信を行うためのリソースを獲得してから、ダウンロード継続のためのダウンロード開始要求をする。ＢＴＳ３２＃２は、ＢＳＣ３０よりデータ転送通知を受けると、ＭＳ１０にデータ転送通知する。ＭＳ１０はＢＴＳ３２＃２よりデータ転送通知を受けると、ＢＴＳ３２＃２→ＢＳＣ３０を通して、ＮＭＣ２にデータ転送応答をする。このようにして、ダウンロード中にＭＳ１０が制御エリアを移動しても、継続して、ダウンロードを継続することができる。
【００６８】
以上説明した第１実施形態によれば、以下の効果が得られる。
【００６９】
（１）  エンドユーザへのサービス向上
ユーザへの要求に対して迅速な情報提供と、ネットワーク管理者が保守運用情報を常時把握できるようになる。また、ＭＳ情報保収集やダウンロード時に制御途中の中断が防げるため、サービス性の向上につながる。
【００７０】
(i)発呼／着呼／緊急呼／位置登録の回数、通話時間が正確に収集できるため、エンドユーザの使用状況が分かる。
【００７１】
(ii)送信／受信のフレーム数、フレームエラー発生回数が正確に収集できるため、ＭＳの通話品質が判断できる。
【００７２】
(iii)ハンドオフ回数が正確に収集できるため、ＭＳがよく利用するエリアの使用状況が分かる。
【００７３】
(iv)使用チャネル数が正確に収集できるため、通話チャネルの使用容量が分かる。
【００７４】
(v)ＭＳからのパラメータ等の情報収集が中断なく継続できる。
【００７５】
(vi)ＭＳへのデータ転送が中断なく継続できる。
【００７６】
以上のように、エンドユーザの要求に対して迅速な情報提供ができサービス性が向上する。また、ネットワーク管理者が保守運用情報制御部４２するのに必要な情報が正確に情報でき保守性（メンテナンス）が向上し、更にクレーム／問題解決の時間が短縮できる。また、使用エリアや使用チャネル容量が正確に分かるため、ネットワークの構築を的確に行うことができる。
【００７７】
（２）  ネットワーク管理者にとって保守の操作性が向上する。
【００７８】
(i)ＭＳが発信／着信する毎に毎回、保守運用情報の制御の開始／停止を指示しなくてよく、ネットワーク管理者は保守運用情報の制御の操作をネットワーク立ち上げ後、一回の実施でよい。
【００７９】
(ii)制御したいＭＳが通信中でなくても、いつでも制御の開始／停止を指示できるため、ネットワーク管理者は該当ＭＳが通話中かどうか監視／確認する必要がない。
【００８０】
以上のように、ネットワーク管理者にとっては、保守の操作性が容易になり作業を軽減することができる。
【００８１】
第２実施形態
図１２は、本発明の第２実施形態による携帯電話システムの構成図であり、図２中の構成要素と実質的に同一の構成要素には同一の符号を附している。第１実施形態では、ＢＳＣが収容する全ＢＴＳに対して品質統計開始要求メッセージ等を送信し、ＢＴＳがＢＳＣに対して応答メッセージを送信しているが、ネットワークのトラヒックが必要以上に発生する恐れがある。第２実施形態では、ネットワークトラヒックの発生を抑制するべく、ＭＳ１０が位置登録されているＢＴＳ及びその隣接ＢＴＳにのみ品質統計開始要求を行うこととしている。
【００８２】
ＢＳＣ８０は、ＢＳＣ３０と以下の点で異なる。▲１▼ＮＭＣ２からＭＳ１０に関する品質統計開始要求、ＭＳ情報収集開始要求、ダウンロード開始要求を受けると、ＭＳ１０が位置登録されているＢＴＳ３２＃ｉ及びＢＴＳ３２＃ｉの隣接ＢＴＳに対して品質統計開始要求、ＭＳ情報収集開始要求、ダウンロード開始要求を行う。▲２▼ＭＳ１０が別のＢＴＳの制御エリアに移動すると、移動先ＢＴＳの隣接ＢＴＳに対して品質統計開始要求を行う。以下、図１０の携帯電話システムの保守運用情報制御に関わる動作説明をする。
【００８３】
（１）  品質統計情報の収集
図１３は、品質統計情報収集のシーケンスチャートである。ＮＭＣ２は、ＢＳＣ８０にＭＳ１０に関する品質統計開始要求をする。ここでは、ＭＳ１０が通話中にＢＴＳ３２＃１の制御エリアに位置して、ＢＳＣ８０に位置登録されているとする。ＢＳＣ８０は、ＮＭＣ２より品質統計開始要求を受信すると、品質統計開始応答をＮＭＣ２に返す。ＢＳＣ８０は、ＭＳ１０が位置登録されているＢＴＳ３２＃１びＢＴＳ３２＃１に隣接するＢＴＳ３２＃２に対して、品質統計開始要求行う。ＭＳ１０が通話中にＢＴＳ３２＃２の制御エリアに移動するまでの処理は、第１実施形態と同様である。ＢＳＣ８０は、ＢＳ１０の通常呼として移動先のＢＴＳ３２＃２を位置登録すると、ＢＴＳ３２＃２の隣接ＢＴＳ３２＃３に対して、品質統計開始要求を行う。更に、ＢＳＣ８０は、ＭＳ１０がＢＴＳ３２＃３の配下として位置登録されると、ＢＴＳ３２＃３の隣接ＢＴＳ３２＃４に対して、品質統計開始要求を行う。このように、ＭＳ１０が移動することにより、制御エリアが変更される毎に、その隣接ＢＴＳに品質統計開始要求を行うことにより、ＭＳ１０の品質統計情報の収集を継続して行う。
【００８４】
（２）  ＭＳ情報収集
ＮＭＣ２は、ＢＳＣ８０にＭＳ１０のＭＳ情報収集開始要求をする。ＭＳ１０がＢＴＳ３２＃１の制御エリアに位置して、ＢＳＣ８０に位置登録されているとする。ＢＳＣ８０は、ＮＭＣ２よりＭＳ情報収集開始要求を受信すると、ＭＳ１０が位置登録されているＢＴＳ３２＃１及びその隣接ＢＴＳ３２＃２に対して、ＭＳ情報収集開始要求を行う。ＭＳ１０がＢＴＳ３２＃２の制御エリアに移動するまでの処理は、第１実施形態と同様である。ＢＳＣ８０は、ＭＳ１０をＢＴＳ３２＃２の配下として位置登録すると、ＢＴＳ３２＃２の隣接ＢＴＳ３２＃３に対して、ＭＳ情報収集開始要求行う。このように、ＭＳ１０が移動することにより、制御エリアが変更される毎に、その隣接ＢＴＳにＭＳ情報開始要求を行うことにより、ＭＳ１０のＭＳ情報収集を継続して行う。
【００８５】
（３）  ダウンロード
ＮＭＣ２は、ＢＳＣ８０にダウンロード開始要求をする。ＭＳ１０がＢＴＳ３２＃１の制御エリアに位置して、ＢＳＣ８０に位置登録されているとする。ＢＳＣ８０は、ＮＭＣ２よりダウンロード開始要求を受信すると、ＭＳ１０が位置登録されているＢＴＳ３２＃１及びその隣接ＢＴＳ３２＃２に対して、ダウンロード開始要求を行う。ＭＳ１０がＢＴＳ３２＃２の制御エリアに移動するまでの処理は、第１実施形態と同様である。ＢＳＣ８０は、ＭＳ１０をＢＴＳ３２＃２の配下として位置登録すると、ＢＴＳ３２＃２の隣接ＢＴＳ３２＃３に対して、断ロード開始要求行う。このように、ＭＳ１０が移動することにより、制御エリアが変更される毎に、その隣接ＢＴＳにダウンロード開始要求を行うことにより、ＭＳ１０のダウンロードを継続して行う。
【００８６】
以上説明した第２実施形態によれば、第１実施形態の効果に加えて、以下の効果を奏することができる。
【００８７】
ネットワークの負荷を軽減することが可能になる。該当するＭＳの通話しているＢＴＳとそのＢＴＳに隣接するＢＴＳにのみ指示するため、ＢＳＣ−ＢＴＳ間のネットワーク負荷が減少する。これにより、保守操作をする事によって、ユーザの発信／着信に影響を与えるようなことがなくなる。
【００８８】
第３実施形態
図１４は、本発明の第３実施形態による携帯電話システムの構成図であり、図２中の構成要素と実質的に同一の構成要素には同一の符号を附している。第２実施形態では、ＭＳ１０が制御エリアから離れたときでも、該制御エリアを有するＢＴＳは保守運用情報制御のリソースを解放することをしなかったが、制御エリアを離れた場合にはリソースが不要となるので、リソースが無駄になる恐れがある。第３実施形態では、ＭＳ１０に関して保守運用情報の制御中に制御エリアから離れたとき、保守運用に関わるリソースの解放を行うようにしている。
【００８９】
ＢＳＣ９０は、第２実施形態のＢＳＣ８０と以下の点で異なる。▲１▼品質統計収中、ＭＳ情報収集中、ダウンロード中に、ＭＳ１０の制御エリアが変更になったとき、移動元のＢＴＳ９２＃ｉに対して、品質統計終了要求、ＭＳ情報収集終了要求、ダウンロード終了要求をする。▲２▼移動元のＢＴＳ９２＃ｉから品質統計終了応答、ＭＳ情報収集終了応答、ダウンロード終了応答を受けると、ＢＳＣ９２＃ｉに関わるリソースの解放をする。リソースとは、ＢＳＣ９２＃ｉとの間で保守運用制御を行うための通信に関するものをいう。ＢＴＳ９２＃ｉは、第１実施形態のＢＴＳ３２＃ｉと以下の点で異なる。▲１▼ＢＳＣ９０から、品質統計終了要求、ＭＳ情報収集終了要求、ダウンロード終了要求を受けると、ＢＳＣ９０に対して、品質統計終了応答、ＭＳ情報収集終了応答、ダウンロード終了応答をする。▲２▼品質統計終了応答、ＭＳ情報収集終了応答、ダウンロード終了応答をしてから、リソースの解放をする。以下、図１４の携帯電話システムの保守運用情報制御に関わる動作説明をする。
【００９０】
（１）  品質統計情報の収集
図１５は、品質統計情報の収集のシーケンスチャートである。ＮＭＣ２は、ＢＳＣ９０にＭＳ１０に関する品質統計開始要求をする。ここでは、ＭＳ１０が通話中にＢＴＳ９２＃１の制御エリアに位置して、ＢＳＣ９０に位置登録されているとする。ＢＳＣ９０は、ＮＭＣ２より品質統計開始要求を受信してから、ＭＳ１０の制御エリアがＢＴＳ９２＃２に変更になるまでの処理は第２実施形態と同様である。ＢＳＣ９０は、ＭＳ１０をＢＴＳ９２＃２の配下として位置登録すると、ＢＴＳ９２＃１に対して、品質統計終了要求をする。ＢＴＳ９２＃１は、ＢＳＣ９０より品質統計終了要求を受けると、ＢＳＣ９０に対して、品質統計終了応答を行うと共に、ＢＳＣ９０との間の品質統計収集のために確保したリソースを解放する。ＢＳＣ９０は、品質統計終了応答を受けると、ＢＳＣ９２＃ｉとの間で品質統計収集に関わるリソースの解放をする。
【００９１】
（２）  ＭＳ情報収集
ＮＭＣ２は、ＢＳＣ９０にＭＳ１０のＭＳ情報収集開始要求をする。ＭＳ１０がＢＴＳ９２＃１の制御エリアに位置して、ＢＳＣ８０に位置登録されているとする。ＭＳ１０の制御エリアがＢＴＳ８２＃２に変更になるまでの処理は第２実施形態と同様である。ＢＳＣ９０は、ＭＳ１０をＢＴＳ９２＃２の配下として位置登録をすると、ＢＴＳ９２＃１に対して、ＭＳ情報収集終了要求をする。ＢＴＳ９２＃１は、ＢＳＣ９０よりＭＳ情報収集終了要求を受けると、ＢＳＣ９０に対して、ＭＳ情報収集終了応答を行うと共に、ＭＳ１０及びＢＳＣ９０との間でＭＳ情報収集のために確保したリソース、ＭＳ１０との間のページングチャネル、ＢＳＣ９０との間の通信帯域を解放する。ＢＳＣ９０は、ＭＳ情報終了応答を受けると、ＢＳＣ９２＃ｉとの間でＭＳ情報収集に関わるリソースの解放をする。
【００９２】
（３）  ダウンロード
ＮＭＣ２は、ＢＳＣ９０にダウンロード開始要求をする。ＭＳ１０がＢＴＳ９２＃１の制御エリアに位置して、ＢＳＣ９０に位置登録されているとする。ＭＳ１０の制御エリアがＢＴＳ９２＃２に変更になるまでの処理は第２実施形態と同様である。ＢＳＣ９０は、ＭＳ１０をＢＴＳ８２＃２の配下として位置登録すると、ＢＴＳ９２＃１に対して、ダウンロード終了要求をする。ＢＴＳ９２＃１は、ＢＳＣ９０よりダウンロード終了要求を受けると、ＢＳＣ９０に対して、ダウンロード終了応答を行うと共に、ＭＳ１０及びＢＳＣ９０との間でダウンロードのために確保したリソースを解放する。ＢＳＣ９０は、ダウンロード終了応答を受けると、ＢＳＣ９２＃ｉとの間でダウンロードに関わるリソースの解放をする。尚、第１実施形態の場合には、ＭＳの制御エリアが変更になったとき、変更前のＢＴＳ−ＢＳＣ間のリソースを解放するようにする。
【００９３】
以上説明した第３実施形態によれば、第４実施形態と同様の効果を奏することができる上にＭＳの制御エリアが変更になったとき、変更前のＢＴＳ−ＢＳＣ間のリソースを解放するため、ＢＳＣ−ＢＴＳ間のネットワーク負荷が減少する。これにより、保守操作をする事によって、ユーザの発信／着信に影響を与えるようなことがなくなる。
【００９４】
第４実施形態
図１６は、本発明の第４実施形態による携帯電話システムの構成図であり、図２中の構成要素と実質的に同一の構成要素には同一の符号を附している。第４実施形態は、システム運用中のＢＴＳ増設が可能であって、ＭＳ１０に関する保守運用情報制御中にＭＳ１０が増設ＢＴＳの制御エリア内に移動したときに、継続して保守運用情報制御を行う。ＢＴＳ増設に関わる保守運用情報制御は、第１及び第２実施形態のいずれの場合にも適用できるが、第４実施形態では、第１実施形態に適用した場合を示す。ＢＳＣ１００は、ＢＳＣ３０の機能に加えて、ＢＴＳ増設に関わる次の機能を有する。▲１▼ＢＴＳの増設が行われると、ネットワーク管理者の指示に基づきＮＭＣ２よりＢＴＳ増設要求されると、ＢＴＳ増設に関わる設定を行う。増設ＢＴＳに関わる設定とは、増設ＢＴＳを通したＭＳ１０との間の通信を可能とするための設定処理をいう。▲２▼ＢＴＳ増設に関わる設定を行った後、ＮＭＣ２にＢＴＳ増設応答をする。▲３▼ＮＭＣ２より品質統計開始要求を受けているときは、増設ＢＴＳに対して、品質統計開始要求を行う。尚、第２実施形態を適用する場合は、保守運用情報制御中のＭＳ１０の制御エリアに増設ＢＴＳの制御エリアが隣接するとき、或いは、保守運用情報制御中のＭＳ１０が増設ＢＴＳの制御エリアに移動したときである。以下、図１６の携帯電話システムの保守運用情報制御に関わる動作説明をする。
【００９５】
（１）  ＢＴＳ増設
ＢＴＳ３２＃２の増設の場合を例に説明する。ＢＴＳ３２＃２が増設されると、ネットワーク管理者の指示に基づいて、ＮＭＣ２はＢＳＣ１００に対してＢＴＳ増設要求を行う。ＢＳＣ９０は、ＮＭＣ２よりＢＴＳ増設要求を受けると、ＢＴＳ増設に関わる設定を行う。これにより、ＭＳ１０がＢＴＳ３２＃２を通して、ＢＳＣ１００と通信が可能となる。
【００９６】
（２）  品質統計情報の収集
図１７は、品質統計情報の収集のシーケンスチャートである。ＮＭＣ２は、ＢＳＣ１００にＭＳ１０に関する品質統計開始要求をする。ここでは、ＭＳ１０が通話中にＢＴＳ３２＃１の制御エリアに位置して、ＢＳＣ１００に位置登録されているとする。ＢＳＣ１００は、ＮＭＣ２より品質統計開始要求を受信すると、収容する全ＢＴＳに対して、品質統計開始要求を行う。その後（ＭＳ１０の品質統計情報収集中）、ＢＴＳ３２＃２が増設されたものとする。ＢＳＣ１００は、ＮＭＣ２より品質統計開始要求を受けているので、増設ＢＴＳ３２＃２に対して、品質統計開始要求を行う。増設ＢＴＳ３２＃２は、品質統計開始要求を受けると、ＢＳＣ１００に対して、品質統計開始応答をする。これにより、ＢＴＳ３２＃２は、ＭＳ１０の品質統計情報の収集が可能となる。よって、ＭＳ１０は通話中にＢＴＳ３２＃２の制御エリアに移動したときでも、第１実施形態と同様にして、ＢＴＳ３２＃２がＭＳ１０の品質統計情報を収集して、ＢＳＣ１００に送信する。
【００９７】
（３）  ＭＳ情報収集
ＭＳ情報収集の場合にも、ＢＳＣ１００は、ＮＭＣ２よりＭＳ情報収集開始要求を受けていたとき、増設ＢＴＳ３２＃２に対して、ＭＳ情報収集要求をする。これにより、ＭＳ１０のＭＳ情報収集中にＢＴＳ３２＃２が増設されて、ＭＳ１０が増設ＢＴＳ３２＃２の制御エリアに移動したような場合でも、継続して、ＢＴＳ３２＃２がＭＳ１０のＭＳ情報を収集することができる。
【００９８】
（４）  ダウンロード
ダウンロードの場合にも、ＢＳＣ１００は、ＮＭＣ２よりダウンロード開始要求を受けていたとき、増設ＢＴＳ３２＃２に対して、ダウンロード開始要求をする。更に、ＭＳ１０へのダウンロード中に、ＭＳ１０が増設ＢＴＳ３２＃２に位置して、ＢＳＣ１００は、ＭＳ１０をＢＴＳ３２＃２の配下としてＭＳ１０を位置登録したとき、増設ＢＴＳ３２＃２にデータ転送をする。これにより、ＭＳ１０へダウンロード中にＢＴＳ３２＃２が増設されて、増設後にＭＳ１０がＢＴＳ３２＃２の制御エリアに移動したような場合でも、ＢＳＣ１００は、ＭＳ１０が増設ＢＴＳ３２＃２の制御エリアに移動した場合でも、継続してＭＳ１０にダウンロードをすることができる。
【００９９】
以上説明した第４実施形態によれば、ｑ第１実施形態と同様の効果を奏することができる上に次の効果を奏することができる。ネットワーク拡張に対応できる。運用中にＢＳＣに収容するＢＴＳが増設された場合、増設されたＢＴＳのエリアに該当ＭＳが移動しても連続して保守運用情報の制御を行うことが可能となる。これにより、ネットワーク管理者は、ＢＴＳの増減を意識することなく、該当ＭＳに関する保守運用情報の制御を行うことができる。
【０１００】
第５実施形態
図１８は、本発明の第５実施形態による携帯電話システムの構成図であり、図２中の構成要素と実質的に同一の構成要素には同一の符号を附している。第５実施形態では、ＢＳＣがＢＴＳを通してＭＳの保守運用情報の制御を行っているとき、当該ＢＴＣ−ＢＳＣの通信リンクが切断されると、保守運用情報の制御が一時中断するが、ＢＴＳ−ＢＳＣ間の通信リンクが回復後には、保守運用情報制御を再開する。ＢＳＣ１００は、ＢＳＣ３０の機能に加えて、ＢＴＳ−ＢＳＣ間の通信リンク回復後の保守運用情報制御に関わる以下の機能を有する。▲１▼ＢＳＣ１００は、保守運用情報制御のために、ＢＴＳ１０２＃ｉとの間に設定した通信リンクの状態を監視する。▲２▼当該通信リンクが切断された後に回復したとき、当該回復した通信リンクにより、ＢＴＳ１１２＃ｉに対して、品質統計開始要求、ＭＳ情報収集開始要求、ダウンロード開始要求をする。
【０１０１】
ＢＴＳ１１２＃ｉは、第１実施形態のＢＴＳ３２＃ｉの機能に加えて、次の機能を有する。▲１▼ＢＳＣ１１０から再度、品質統計開始要求（再品質統計開始要求）、ＭＳ情報開始要求（再ＭＳ情報開始要求）、ダウンロード開始要求（再ダウンロード開始要求）を受けると、ＢＳＣ１１０に対して、品質統計開始応答、ＭＳ情報開始応答、ダウンロード開始応答をする。▲２▼ＢＳＣ１１０から再品質統計開始要求を受け取ったとき、通話中のＭＳ１０が自制御エリアに位置している場合、ＭＳ１０に関する品質統計情報をＢＳＣ１１０に送信して、品質統計情報の収集を再開する。▲３▼通話中のＭＳ１０が自制御エリアに位置している場合、通信リンクが切断されている間に、ＭＳ１０から受信したＭＳ情報収集通知をＢＳＣ１１０にして、ＭＳ情報収集を再開する。▲４▼ＢＳＣ１１０から再ダウンロード開始要求を受け取ってから、ＢＳＣ１１０からデータ転送通知を受信すると、ＭＳ１０にデータ転送通知をして、ダウンロードを再開する。以下、図１８の携帯電話システムの保守運用情報制御に関わる動作説明をする。
【０１０２】
（１）  品質統計情報の収集
図１９は、品質統計情報の収集のシーケンスチャートである。ＮＭＣ２は、ＢＳＣ１１０にＭＳ１０に関する品質統計開始要求をする。ここでは、ＭＳ１０が通話中にＢＴＳ１１２＃１の制御エリアに位置して、ＢＳＣ１００に位置登録されているとする。ＢＳＣ１１０がＮＭＣ２より品質統計開始要求を受信してから、ＢＴＳ１１２＃１がＭＳ１０に関する品質統計情報をＢＳＣ１１０に送信するまでの処理は第２実施形態と同様である。ここで、ＢＳＣ１１０とＢＴＳ１１２＃１との間の通信リンクが切断されたとする。これにより、ＢＳＣ１１０とＢＴＳ１１２＃１間の品質統計情報に関わる通信が中断する。その後、ＢＳＣ１１０とＢＴＳ１１２＃１間の通信が回復したとする。ＢＳＣ１１０は、ＢＴＳ１１２＃１に対して、再度品質統計開始要求をする。ＢＴＳ１１２＃１は、ＢＳＣ１１０より品質統計開始要求を受けると、ＢＳＣ１１０に対して、品質統計開始応答をすると共に、ＭＳ１０に関する品質統計情報の収集を再開する。そして、品質統計情報をＢＳＣ１１０に送信する。このようにして、ＢＳＣ１１０とＢＴＳ１１２＃１との間の通信リンクが切断されても、リンク回復後、品質統計情報の収集が再開される。
【０１０３】
（２）  ＭＳ情報収集
ＮＭＣ２は、ＢＳＣ１１０にＭＳ１０のＭＳ情報収集開始要求をする。ＭＳ１０がＢＴＳ１１２＃１の制御エリアに位置して、ＢＳＣ１１０に位置登録されているとする。ＢＳＣ１１０がＮＭＣ２よりＭＳ情報収集開始要求を受信してから、ＢＴＳ１１２＃１がＭＳ１０のＭＳ情報をＢＳＣ１１０に送信するまでの処理は第１実施形態と同様である。ここで、ＢＳＣ１１０とＢＴＳ１１２＃１との間の通信リンクが切断されたとする。これにより、ＢＳＣ１１０とＢＴＳ１１２＃１間のＭＳ情報の通信が中断する。その後、ＢＳＣ１１０とＢＴＳ１１２＃１間の通信が回復したとする。ＭＳ１０は、ＭＳ情報収集応答を受けてからＭＳ情報収集通知をするので、ＢＳＣ１１０−ＢＴＳ１１２＃１間のリンク切断中はＭＳ情報収集応答を受けられず、次のＭＳ情報収集通知を行うことができない。ＢＳＣ１１０は、ＢＴＳ１１２＃１に対して、再ＭＳ情報収集開始要求をする。ＢＴＳ１１２＃１は、ＢＳＣ１１０よりＭＳ情報収集開始要求を受けると、ＢＳＣ１１０に対して、ＭＳ情報統計開始応答をする。ＢＴＳ１１２＃１は、ＢＳＣ１１０に対して、ＭＳ情報の送信を再開する。
【０１０４】
（３）  ダウンロード
ＮＭＣ２は、ＢＳＣ１１０にダウンロード開始要求をする。ＭＳ１０がＢＴＳ１１２＃１の制御エリアに位置して、ＢＳＣ１１０に位置登録されているとする。ＢＳＣ１１０がＮＭＣ２よりダウンロード開始要求を受信してから、ＢＳＣ１１０がＢＴＳ１１２＃１を通してＭＳ１０にデータ転送通知をするまでの処理は第２実施形態と同様である。ここで、ＢＳＣ１１０−ＢＴＳ１１２＃１間の通信リンクが切断されたとする。その後、ＢＳＣ１１０とＢＴＳ１１２＃１間の通信が回復したとする。通信リンクが切断されている間は、ＢＳＣ１１０は、ＮＴＭＣ２に対して、データ転送応答を行わないので、ＮＭＣ２からのデータ転送通知は停止したままとなる。ＢＳＣ１１０は、ＢＴＳ１１２＃１に対して、再ダウンロード開始要求をする。ＢＴＳ１１２＃１は、ＢＳＣ１１０よりダウンロード開始要求を受けると、ＢＳＣ１１０に対して、ダウンロード開始応答をする。ＢＳＣ１１０は、ＢＳＴ１１２＃１に対して、データ転送通知を再開する。
【０１０５】
以上説明した第５実施形態によれば、第１実施形態の効果に加えて、次の効果を奏することができる。ネットワーク管理者はＢＴＳ−ＢＳＣ間のリンク状態を監視する必要がない。ＢＴＳ−ＢＳＣ間のリンク回復時に再度ＢＳＣが自動的に保守運用情報の制御を指示するため、リンク回復後にも連続して保守運用情報の制御ができる。これにより、ネットワーク管理者はＢＴＳ−ＢＳＣ間のリンク状態を意識することなく、該当ＭＳに関する保守運用情報の制御部が行える。
【０１０６】
第６実施形態
図２０は、本発明の第６実施形態による携帯電話システムの構成図であり、図２中の構成要素と実質的に同一の構成要素には同一の符号を附している。ＭＳ１０が複数のＢＴＳの制御エリアが重なる場所に位置したとき、これら複数のＢＴＳとＭＳ１０との間で複数の通話パスが設定されて、各通信パス毎に品質統計情報がＢＳＣに送信される。第６実施形態では、複数の通話パスが設定されたとき、各通信パス毎に、通常呼／ハンドオフ呼を認識して、品質統計情報をＮＭＣ２に送信する。
【０１０７】
ＢＳＣ１２０は、ＭＳ１０が複数の制御エリアに位置したとき、品質統計情報の収集に関わる以下の機能を有する。▲１▼通話中のＭＳ１０が、ＭＳ１０に関する品質統計情報収集中に複数のＢＴＳの制御エリアが重なる場所に位置した場合、ハンドオフ制御により、ＭＳ１０と複数のＢＴＳ間で複数の通話パスが設定されて、複数のＢＴＳから品質統計情報が送信されたとき、各通話パス毎に、通常呼／ハンドオフ呼を区別して、品質統計情報を収集する。▲２▼各通話パス毎に、通常呼／ハンドエフ呼のいずれであるかを示す情報を付加して、品質統計情報をＮＭＣ２に送信する。▲３▼ＭＳ１０の発信回数／着信回数等重複してカウントされる恐れがある品質統計情報については、１個を選択する。以下、図２０の携帯電話システムの保守運用情報制御に関わる動作説明をする。
【０１０８】
図２１は、品質統計情報の収集のシーケンスチャートである。ＮＭＣ２は、ＢＳＣ１２０にＭＳ１０に関する品質統計開始要求をする。ＭＳ１０が通話中にＢＴＳ３２＃１の制御エリアに位置しているとすると、ＭＳ１０の通常呼としてＢＴＳ３２＃１が経路情報データベース４７に、ＭＳ１０の制御局としてＢＴＳ３２＃１、隣接局としてＢＴＳ３２＃２が制御局情報データベース１２２に登録される。ＢＳＣ１２０が品質統計開始要求を受信してから、ＭＳ１０がＢＴＳ３２＃２の制御エリアに移動するまでの処理は第１実施形態で説明した通りである。ＢＴＳ３２＃２は、ＢＳＣ１２０からのハンドオフ制御に従って、ＭＳ１０との間の通信パスを設定する。このとき、ＢＴＳ３２＃２は、品質統計開始要求を受信しているので、ＭＳ１０に関する品質統計情報をＢＳＣ１２０に送信する。一方、ＢＴＳ３２＃１も品質統計情報をＢＳＣ１２０に送信している。
【０１０９】
ＢＳＣ１２０は、ＢＴＳ３２＃１，３２＃２より品質統計情報を受信すると、各品質統計情報に関する通信パスが通常呼／ハンドオフ呼のいずれであるかを区別して、ＮＭＣ２に品質統計情報を送信する。ここでは、ＢＴＳ３２＃１が通常呼、ＢＴＳ３２＃２がハンドオフ呼であるので、ＢＴＳ３２＃１からの品質統計情報が通常呼のものであり、ＢＴＳ３２＃２からの品質統計情報がハンドオフ呼のものであることを品質統計情報に追加して、ＮＭＣ２に送信する。その後、ＭＳ１０がＢＴＳ３２＃１の制御エリアから離れてＢＴＳ３２＃２の制御エリアに完全に入ったとする。ＢＳＣ１２０は、制御局をＢＴＳ３２＃２とし、ＢＴＳ３２＃２より送信された品質統計情報をＮＭＣ２に送信する。
【０１１０】
以上説明した第６実施形態によれば、第１実施形態と同様の効果を奏することができる上に更に以下の効果を奏することができる。通話パス毎に品質状態が把握できるため、より正確なネットワークの通話状態を把握することができる。ハンドオフ中は通常呼／ハンドオフ呼をあわせて複数のＢＴＳからフレームエラー数等の情報が通知されるため、ネットワーク保守が容易に行えるとともに、エンドユーザからの情報提供等の要求に対しても迅速に対応することができる。
【０１１１】
本発明は以下の付記を含むものである。
【０１１２】
（付記１）  ネットワークを監視するネットワーク監視装置、自制御エリアに位置する移動機との間の通信をする複数の基地局及び前記複数の基地局を制御する基地局制御装置を有する基地局システムにおいて、
前記ネットワーク監視装置は、
前記基地局制御装置に対して特定の移動機に関する保守運用情報の収集開始の指示を行う第１情報収集開始指示手段と、
前記基地局制御装置より前記特定の移動機に関する保守運用情報を受信する第１受信手段とを具備し、
前記基地局制御装置は、
前記保守運用情報の収集開始の指示を受けると、前記複数の基地局に対して保守運用情報収集開始の指示をする第２情報収集開始指示手段と、
前記基地局より前記特定の移動機に関する保守運用情報を受信する第２受信手段と、
該保守運用情報を前記ネットワーク監視装置に送信する第１送信手段とを具備し、
前記基地局は、
前記基地局制御装置より保守運用情報収集開始指示を受けたとき、前記特定の移動機が自制御エリアに位置している場合、該移動機に関する保守運用情報の収集を開始し、該保守運用情報収集開始指示を既に受けており、前記特定の移動機が自制御エリアに位置した場合、該移動機に関する保守運用情報の収集を開始する情報収集開始手段と、
該保守運用情報を前記基地局制御装置に送信する第２送信手段とを具備したことを特徴とする基地局システム。
【０１１３】
（付記２）  前記第２情報収集開始指示手段は、前記保守運用情報の収集開始指示を受けると、前記特定の移動機が位置登録されている基地局及びその隣接基地局に対して前記保守運用情報収集開始指示をし、前記保守運用情報の収集開始指示を既に受けており、前記特定の移動機が位置登録されている基地局の隣接基地局の制御エリアに位置したとき、該基地局の隣接基地局に対して保守運用情報収集開始指示をすることを特徴とする付記１記載の基地局システム。
【０１１４】
（付記３）  前記基地局制御装置は、前記特定の移動機が位置登録される基地局が変更になったとき、変更前の基地局に対して保守運用情報収集終了を指示する収集終了指示手段を更に具備し、前記基地局は、前記保守運用情報統計収集終了の指示を受けると、前記特定の移動機及び前記基地局制御装置との間で確保していた前記保守運用情報収集に関わるリソースを解放するリソース解放手段を更に具備したことを特徴とする付記２記載の基地局システム。
【０１１５】
（付記４）  前記第２情報収集開始指示手段は、基地局が増設されたとき、前記保守運用情報収集開始指示がされていた場合、該基地局に対して保守運用情報収集開始指示をすることを特徴とする付記１記載の基地局システム。
【０１１６】
（付記５）  前記第２情報収集開始指示手段は、基地局が増設されたとき、前記保守運用情報収集開始指示がされており、該増設基地局が位置登録されている基地局の隣接基地局となった場合、該増設基地局に対して前記保守運用情報収集開始指示をすることを特徴とする付記２記載の基地局システム。
【０１１７】
（付記６）  前記第２情報収集指示手段は、前記基地局との間で前記保守運用情報の通信に関わる通信リンク切断後に該通信リンクが回復したとき、該基地局に対して情報収集開始指示をすることを特徴とする請求項３記載の基地局システム。
【０１１８】
（付記７）  前記基地局制御装置は、通話中の移動機が複数の基地局と通話可能なエリアに移動したときに、該複数の基地局が該移動機と通信可能なるよう該複数の基地局をハンドオフ制御するハンドオフ制御手段を更に具備し、前記保守運用情報は通話中の移動機に関する品質統計情報であるとき、前記情報収集開始手段は、ハンドオフ制御により通話中の移動機と通信可能となった場合、前記品質統計情報の収集を開始し、前記第１送信手段は、前記通話中の移動機が移動して複数の基地局より品質統計情報を前記第２受信手段が受信した場合、各品質統計情報を送信した基地局が、該移動機を配下として位置登録されている通常呼であるか、ハンドオフ制御中のハンドオフ呼であるかを示す情報を付加して、前記ネットワーク制御装置に送信することを特徴とする付記１記載の基地局システム。
【０１１９】
（付記８）  ネットワークを監視するネットワーク監視装置、自制御エリアに位置する移動機との間の通信をする複数の基地局及び前記複数の基地局を制御する基地局制御装置を有する基地局システムにおいて、
前記ネットワーク監視装置は、
前記基地局制御装置に対して、特定の移動機へのダウンロード開始の指示をする第１ダウンロード開始指示手段と、
前記基地局制御装置よりダウンロードデータの受信応答を受けると、前記基地局制御装置に次のダウンロードデータを送信する第１送信手段とを具備し、
前記基地局制御装置は、
前記ダウンロード開始指示を受けると、前記複数の基地局に対してダウンロード開始指示をするダウンロード開始指示手段と、
前記ネットワーク監視装置よりダウンロードデータを受信すると、前記特定の移動機が位置登録されている基地局に対して、該ダウンロードデータを送信する第２送信手段と、
基地局からダウンロードデータの受信応答があれば、前記ネットワーク監視装置に対してダウンロードデータの受信応答をする第１応答手段とを具備し、
前記基地局は、
前記基地局制御装置よりダウンロード開始指示を受けると、前記特定の移動機に対してダウンロード開始要求をするダウンロード開始要求手段と、
前記基地局制御装置よりダウンロードデータを受信すると、該移動機に対してダウンロードデータを送信する第３送信手段と、
前記特定の移動機よりダウンロードデータの受信応答があると、前記基地局制御装置に対してダウンロードデータの受信応答をする第２応答手段と、
とを具備したことを特徴とする基地局システム。
【０１２０】
（付記９）  移動機との間の通信をする複数の基地局を制御する基地局制御装置において、
前記複数の基地局に対して保守運用情報収集開始の指示をする情報収集開始指示手段と、
前記基地局より前記特定の移動機に関する保守運用情報を受信する第２受信手段と、
を具備したことを特徴とする基地局制御装置。
【０１２１】
（付記１０）  基地局制御装置の制御に基づいて、移動機との間の通信をする基地局において、
前記基地局制御装置より保守運用情報収集開始指示を受けたとき、特定の移動機が自制御エリアに位置している場合、該移動機に関する保守運用情報の収集を開始し、該保守運用情報収集開始指示を既に受けており、前記特定の移動機が自制御エリアに位置した場合、該移動機に関する保守運用情報の収集を開始する情報収集開始手段と、
該保守運用情報を前記基地局制御装置に送信する第２送信手段と、
を具備したことを特徴とする基地局。
【０１２２】
【発明の効果】
以上説明した本発明によれば、エンドユーザへのサービスを向上させ、ネットワーク管理者にとっての保守運用情報制御の操作性を向上させることができる。
【図面の簡単な説明】
【図１】本発明の原理図である。
【図２】本発明の第１実施形態による携帯電話システムの構成図である。
【図３】図２中のＢＳＣ及びＢＴＳの構成図である。
【図４】図３中の経路情報データベースの構成図である。
【図５】図３中の制御局情報データベースの構成図である。
【図６】品質統計情報収集のシーケンスチャートである。
【図７】ハンドオフを示す図である。
【図８】ハンドオフのシーケンスチャートである。
【図９】ハンドオフ時の保守制御局情報の更新を示す図である。
【図１０】ＭＳ情報収集のシーケンスチャートである。
【図１１】ダウンロードのシーケンスチャートである。
【図１２】本発明の第２実施形態による携帯電話システムの構成図である。
【図１３】品質統計情報収集のシーケンスチャートである。
【図１４】本発明の第３実施形態による携帯電話システムの構成図である。
【図１５】品質統計情報収集のシーケンスチャートである。
【図１６】本発明の第４実施形態による携帯電話システムの構成図である。
【図１７】品質統計情報収集のシーケンスチャートである。
【図１８】本発明の第５実施形態による携帯電話システムの構成図である。
【図１９】品質統計情報収集のシーケンスチャートである。
【図２０】本発明の第６実施形態による携帯電話システムの構成図である。
【図２１】品質統計情報収集のシーケンスチャートである。
【図２２】従来の携帯電話システムの構成図である。
【図２３】品質統計情報収集のイメージを示す図である。
【図２４】品質統計情報収集のシーケンスチャートである。
【図２５】ＭＳ情報収集のイメージを示す図である。
【図２６】ＭＳ情報収集のシーケンスチャートである。
【図２７】ダウンロードのイメージを示す図である。
【符号の説明】
１１  ＭＳ
１２  ＮＭＣ
１４  ＢＳＣ
１６＃ｉ（ｉ＝１〜ｎ）  ＢＴＳ
１８  第１情報収集開始手段
１９  第１受信手段
２０  第２情報開始手段
２２  第１送信手段
２３＃ｉ（ｉ＝１〜ｎ）  情報収集開始手段
２４＃ｉ（ｉ＝１〜ｎ）  第２送信手段
【図１】
0004125496.tif 000002
【図２】
0004125496.tif 000003
【図３】
0004125496.tif 000004
【図４】
0004125496.tif 000005
【図５】
0004125496.tif 000006
【図６】
0004125496.tif 000007
【図７】
0004125496.tif 000008
【図８】
0004125496.tif 000009
【図９】
0004125496.tif 000010
【図１０】
0004125496.tif 000011
【図１１】
0004125496.tif 000012
【図１２】
0004125496.tif 000013
【図１３】
0004125496.tif 000014
【図１４】
0004125496.tif 000015
【図１５】
0004125496.tif 000016
【図１６】
0004125496.tif 000017
【図１７】
0004125496.tif 000018
【図１８】
0004125496.tif 000019
【図１９】
0004125496.tif 000020
【図２０】
0004125496.tif 000021
【図２１】
0004125496.tif 000022
【図２２】
0004125496.tif 000023
【図２３】
0004125496.tif 000024
【図２４】
0004125496.tif 000025
【図２５】
0004125496.tif 000026
【図２６】
0004125496.tif 000027
【図２７】
0004125496.tif 000028